(57)【要約】【課題】  本体と受信機を含む無線入力装置を提供する。【解決手段】  本体、および前記本体から分離されコンピュータへ接続された際に無線信号を受信する、前記本体周辺に取り外し可能に接続される受信機を含むコンピュータへの無線入力装置。【選択図】    図３
0003140992.tif 000002
【実用新案登録請求の範囲】
【請求項１】
本体、および
前記本体から分離されコンピュータへ接続された際に無線信号を受信する、前記本体周辺に取り外し可能に接続される受信機を含むコンピュータへの無線入力装置。
【請求項２】
前記本体は、ワイヤレスマウスである請求項１に記載の無線入力装置。
【請求項３】
前記本体は、底部表面に摺動面を含む請求項２に記載の無線入力装置。
【請求項４】
前記受信機が、前記摺動面に接合される請求項３に記載の無線入力装置。
【請求項５】
前記本体は、前記摺動面に実質的に垂直である外側面をさらに含み、前記受信機は、前記外側面に接合される請求項３に記載の無線入力装置。
【請求項６】
前記本体は、操作面とその上に配置されたボタンを含み、前記受信機は、前記操作面に接合される請求項１に記載の無線入力装置。
【請求項７】
前記受信機は、磁力によって前記本体に接合される請求項１に記載の無線入力装置。
【請求項８】
前記本体は、前記受信機と前記本体が接続するように、前記受信機を移動式にそこで接合させる導溝を備える請求項１に記載の無線入力装置。
【請求項９】
前記本体は、導溝と共にその上に形成された突出部を含む請求項８に記載の無線入力装置。
【請求項１０】
前記受信機は、前記本体に接合される際に、前記導溝に接合される接合部を含む請求項８に記載の無線入力装置。
【請求項１１】
前記接合部は、前記受信機から突出したＬ型形状を有する請求項１０に記載の無線入力装置。
【考案の詳細な説明】
【技術分野】
【０００１】
本考案は、無線入力装置に関し、特に、本体と取り外し可能に接続された受信機とを含み、便利さと一体化を容易に実現する無線入力装置に関する。
【背景技術】
【０００２】
図１に従来の無線入力装置の一例を示す。ワイヤレスマウス装置のような従来の無線入力装置は、主として本体と受信機Ｒとを含む。受信機ＲがコンピュータＣと電気的に接続する時に、ワイヤレスマウス装置の本体Ｍは、通常、上板(未表示)上を滑らせることで動作が行われる。本体Ｍは、例えば、赤外線（ＩＲ）または電磁信号などの信号を発し、受信機Ｒによってコンピュータで利用できる電気信号に変換することで、本体を通してコンピュータＣへのデータ入力を可能にする。しかし、本体Ｍと受信機Ｒが分離していることから一体化されていないと利用に不便であり、受信機をなくすこともある。
【考案の開示】
【考案が解決しようとする課題】
【０００３】
本体と受信機を含む無線入力装置を提供する。
【課題を解決するための手段】
【０００４】
無線入力装置の模範的な実施例は、本体と本体の周辺に取り外し可能に接続された受信機とを含む。受信機は、受信機が本体から分離され、コンピュータに接続された時、本体から無線信号を受信する。
【考案の効果】
【０００５】
本考案では、本体の周辺に取り外し可能に接続された受信機を備える無線入力装置が提供される。受信機と本体とが選択的に互いに接合または分離ができることから、便利さと一体化を容易にすると共に、受信機がなくなるのを防ぐことができる。
【考案を実施するための最良の形態】
【０００６】
本考案についての目的、特徴、長所が一層明確に理解されるよう、以下に実施形態を例示し、図面を参照にしながら詳細に説明する。
【実施例１】
【０００７】
図２（ａ）、図２（ｂ）、図２（ｃ）は、例えばワイヤレスマウス装置のような、主に本体Ｍと取り外し可能に接続された受信機Ｒとを含む無線入力装置の模範的な実施例である。ワイヤレスマウス装置を用いることができるように、受信機Ｒは本体Ｍから分離され、電気的にコンピュータ（未表示）に接続される。テーブルなどの表面で本体Ｍを移動する時、本体Ｍは摺動面Ｍ１下の受信機Ｒに無線信号を発信する。無線信号は、赤外線信号または電磁信号を利用することができ、コンピュータへのデータの入力を可能にする。
【０００８】
図２（ａ）、図２（ｂ）及び図２（ｃ）にみられるように、受信機Ｒを本体Ｍの底部にある摺動面Ｍ１に接合することで、便利な一体化が完成される。ある実施例では、本体Ｍと受信機Ｒの両方が共に磁性材料を含むことで、互いに誘引して便利な接続を容易に実施する。
【０００９】
図３は、本体Ｍの底部にある摺動面Ｍ１から突出したＴ型形状の突出部Ｍ２を含む本体Ｍの模範的な実施例である。Ｔ型形状の突出部Ｍ２は、その両側に二つの導溝Ｍ２０を有する。これに対応して、受信機Ｒは導溝Ｍ２０に取り外し可能に組み合わせるための、二つの突出したＬ型接合部Ｒ１を含む。図３（ｂ）に示すように、本体Ｍと受信機Ｒは導溝Ｍ２０で接合部Ｒ１を接合することで、容易に一体化することができる。
【００１０】
図４は、本体Ｍの外側面Ｍ３に取り外し可能に接着することもできる受信機Ｒについて示す。外側面Ｍ３は、摺動面Ｍ１に実質的に垂直である。ある実施例では、本体Ｍと受信機Ｒは磁力によって接合することができることで便利な接続が容易になる。ある実施例では、図３（ａ）と図３（ｂ）に見られるように、接合部Ｒ１と導溝Ｍ２０が対応して互いに接合していることにより、本体Ｍと受信機Ｒはその他の接合方法によっても外側面Ｍ３と一体化することができる。
【００１１】
図５に示すように、受信機Ｒは本体Ｍの操作面Ｍ４に取り外し可能に接着することもできる。操作面Ｍ４は、その上に配置されたデータ入力を行うための一対のボタンＢと合うように曲げられている。ある実施例では、便利に一体化するために、本体Ｍと受信機Ｒを磁力によって接合することができる。ある実施例では、本体Ｍと受信機Ｒは、例えば、図３（ａ）と図３（ｂ）に見られるように、接合部Ｒ１と導溝Ｍ２０が対応して互いに接合するような、その他の接続方法によって操作面Ｍ４に一体化することができる。
【００１２】
以上、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、特許請求の範囲を基準とする。
【図面の簡単な説明】
【００１３】
【図１】従来の無線入力装置の斜視図である。
【図２】本体に接続した受信機の無線入力装置の模範的な実施例の斜視図である。
【図３】本体の摺動面に接続された受信機を表す無線入力装置の模範的な実施例の斜視図である。
【図４】本体の外側面に接続された受信機を表す無線入力装置の模範的な実施例の斜視図である。
【図５】本体の操作面に接続された受信機を表す無線入力装置の模範的な実施例の斜視図である。
【符号の説明】
【００１４】
Ｂ              ボタン
Ｃ              コンピュータ装置
Ｍ              本体
Ｍ１            摺動面
Ｍ２            突出部
Ｍ３            外側面
Ｍ４            操作面
Ｒ              受信機
Ｒ１            接合部
Ｍ２０          導溝
【図１】
0003140992.tif 000003
【図２】
0003140992.tif 000004
【図３】
0003140992.tif 000005
【図４】
0003140992.tif 000006
【図５】
0003140992.tif 000007